(57)【要約】【課題】安価に製作可能で且つ強度剛性に優れた吊持金具を提供する。【解決手段】Ｕ字状のシャックル本体１１と、シャックル本体１１の両端部にわたって着脱自在に取付けたシャックルピン１２と、シャックル本体１１の両端部間においてシャックルピン１２に回転自在に支持した連結具１３であって、下半部にシャックルピン１２と直交状の枢支孔１３ｂを形成した連結具１３と、枢支孔１３ｂに回転自在に且つ枢支孔１３ｂから突出状に装着したスリーブ１４と、スリーブ１４を挿通して吊持対象物に締結されるボルト部材１５であって、吊持対象物とボルト頭部１５ａ間においてスリーブ１４を挟持して、スリーブ１４を介して連結具１３を回転自在に吊持対象物に連結するボルト部材１５とを備えた。【選択図】図２
0003166798.tif 000002
【実用新案登録請求の範囲】
【請求項１】
Ｕ字状のシャックル本体と、
前記シャックル本体の両端部にわたって着脱自在に取付けたシャックルピンと、
前記シャックル本体の両端部間においてシャックルピンに回転自在に支持した連結具であって、下半部にシャックルピンと直交状の枢支孔を形成した連結具と、
前記枢支孔に回転自在に且つ枢支孔から突出状に装着したスリーブと、
前記スリーブを挿通して吊持対象物に締結されるボルト部材であって、吊持対象物とボルト頭部間においてスリーブを挟持して、スリーブを介して連結具を回転自在に吊持対象物に連結するボルト部材と、
を備えたことを特徴とする吊持金具。
【請求項２】
前記連結具にボルト頭部を収容する頭部収容部を前記枢支孔に連ねて設けた請求項１記載の吊持金具。
【請求項３】
前記スリーブのボルト頭部側の端部に脱落防止部を外方へ突出状に形成し、前記頭部収容部の開口側の端部にボルト頭部に当接してボルト部材の脱落を係止する係止リングを取付けた請求項１又は２記載の吊持金具。
【請求項４】
前記スリーブのボルト頭部とは反対側の端部に環状のフランジ部を形成し、該フランジ部が連結具と吊持対象物間に配置されるようにスリーブを連結具の枢支孔に装着した請求項１〜３のいずれか１項記載の吊持金具。
【考案の詳細な説明】
【技術分野】
【０００１】
本考案は、建築資材や建設機械等の吊持対象物をクレーン等で吊持するときに好適に利用可能な吊持金具に関する。
【背景技術】
【０００２】
一般に、建築資材や建設機械等の吊持対象物をクレーン等で吊持するときに用いる吊持金具として、吊持対象物への取付部と、取付部に回動自在に連結した引っ掛け部とを有し、吊持用ワイヤのフックやアイを引っ掛け部に引っ掛けて、吊持対象物を吊持するように構成したものが広く採用されている。
【０００３】
具体的には、吊持対象物に固定される取付部としての軸状締結部材と、前記軸状締結部材に回転自在に支持したハウジングと、吊持用ワイヤのフックやアイを引っ掛けるために、前記ハウジングに揺動自在に支持したＵ字状の引っ掛け部材とを備えた吊持金具が提案されている（例えば、特許文献１参照。）。また、引っ掛け部材として、リング部材からなるものを用いた吊持金具も提案されている（例えば、特許文献２参照。）。
【先行技術文献】
【特許文献】
【０００４】
【特許文献１】特開２００８−１４３６８５号公報
【特許文献２】特開２００５−５１３３８４号公報
【考案の概要】
【考案が解決しようとする課題】
【０００５】
特許文献１記載の吊持金具では、Ｕ字状の引っ掛け部材の両端部を相互に接近する方向へ折り曲げて、引っ掛け部材をハウジングに回転自在に連結させている関係上、吊持対象物を吊持するときに、引っ掛け部材に作用する引っ張り荷重により、引っ掛け部材の両端部が広がろうとして、引っ掛け部材とハウジングとの連結強度が低くなるという問題がある。しかも、ころがり軸受けを介して軸状締結部材をハウジングに回転自在に支持しているので、部品点数が多くなって製作コストが高くなるという問題もある。
【０００６】
また、特許文献２記載の吊持金具では、環状の引っ掛け部材を用いているので、引っ掛け部材とハウジングとの連結強度を容易に向上できるものの、特許文献１と同様に軸受けを介して軸状締結部材をハウジングに回転自在に支持しているので、その分、部品点数が多くなって製作コストが高くなるという問題がある。
【０００７】
本考案の目的は、安価に製作可能で且つ強度剛性に優れた吊持金具を提供することである。
【課題を解決するための手段】
【０００８】
本考案に係る吊持金具は、Ｕ字状のシャックル本体と、前記シャックル本体の両端部にわたって着脱自在に取付けたシャックルピンと、前記シャックル本体の両端部間においてシャックルピンに回転自在に支持した連結具であって、下半部にシャックルピンと直交状の枢支孔を形成した連結具と、前記枢支孔に回転自在に且つ枢支孔から突出状に装着したスリーブと、前記スリーブを挿通して吊持対象物に締結されるボルト部材であって、吊持対象物とボルト頭部間においてスリーブを挟持して、スリーブを介して連結具を回転自在に吊持対象物に連結するボルト部材とを備えたものである。
【０００９】
この吊持金具では、連結具をシャックル本体の端部間に配置させた状態で、連結具を挿通するように、シャックル本体の両端部にわたってシャックルピンを組み付けて、シャックル本体の両端部間においてシャックルピンに連結具を回転自在に支持させて、シャックル本体に連結具を取付けることになる。また、連結具の枢支孔にスリーブを装着して、このスリーブにボルト部材を挿通させ、連結具外へ突出するボルト部材を吊持対象物に締結して、連結具を吊持対象物に取付けることになるが、このときスリーブがボルト頭部と吊持対象物間に挟持されるので、ボルト部材を強く締め付けても、連結具がボルト頭部と吊持対象物間に挟持されることはなく、連結具はスリーブに回転自在に支持されることになる。
【００１０】
そして、このように吊持金具を吊持対象物に固定した状態で、吊持用ワイヤのフックをシャックル本体に引っ掛けて、吊持用ワイヤを介して吊持対象物をクレーン等で吊り上げることになる。また、吊持用ワイヤとして、両端部にアイが形成された吊持用ワイヤを用いる場合には、連結具をボルト部材で吊持対象物に取付けた後、シャックル本体にワイヤのアイを挿通させた状態で、シャックル本体の両端部間に連結具を配置させて、シャックル本体の両端部にシャックルピンを挿通させ、連結具にシャックル本体を回転自在に連結したり、シャックル本体にワイヤのアイを挿通させた状態で、シャックル本体の両端部間に連結具を配置させて、シャックル本体の両端部にシャックルピンを挿通させ、連結具にシャックル本体を回転自在に連結し、その後連結具をボルト部材で吊持対象物に取付けたりすることになる。そして、このように吊持用ワイヤを吊持金具に連結させた状態で、吊持対象物を吊り上げることになるが、このときスリーブを中心に連結具が回転するとともに、シャックルピンを中心にシャックル本体が回転して、吊持用ワイヤに作用する引っ張り荷重が直線状にボルト部材に作用し、吊持用ワイヤや吊持金具等に曲げ荷重が作用することによる強度低下が防止されることになる。
【００１１】
このように、この吊持金具では、ベアリングを用いないでも、連結具をボルト部材に対して円滑に回転するように組み付けることができるので、吊持金具を構成する部品点数を極力少なくして、その製作コストを大幅に低減できる。また、シャックルピンに連結具を挿通させて、シャックル本体に連結具を回転自在に連結しているので、部品点数を増やすことなく、シャックルピンに対する連結具の回転も円滑なものとなる。しかも、シャックル本体及びシャックルピンは、汎用のシャックルをそのまま活用して構成できるので、吊持金具の製作コストを大幅に低減できるとともに、これらの部材が破損した場合には、それを個別に交換できるので、利用者の経済的な負担を軽減できる。
【００１２】
ここで、前記連結具にボルト頭部を収容する頭部収容部を前記枢支孔に連ねて設けることが好ましい実施の形態である。このように構成すると、ボルト頭部が外部に露出することを防止して、ワイヤ等がボルト頭部に接触して損傷することを防止できるとともに、吊持金具の外観を向上できる。
【００１３】
前記スリーブのボルト頭部側の端部に鍔部を形成し、前記頭部収容部の開口側の端部にボルト頭部に当接してボルト部材の脱落を係止する係止リングを取付けることもできる。このように構成すると、高所での作業時において、ボルト部材やスリーブの落下を防止して、作業の安全性を向上できる。
【００１４】
前記スリーブのボルト頭部とは反対側の端部に環状のフランジ部を形成し、該フランジ部が連結具と吊持対象物間に配置されるようにスリーブを連結具の枢支孔に装着することもできる。このように構成すると、スリーブと吊持対象物との接触面積を広く設定して、スリーブとの接触部分に大きな圧接力が作用することによる吊持対象物の破損を防止できる。
【考案の効果】
【００１５】
本考案に係る吊持金具によれば、ベアリングを用いないでも、連結具をボルト部材に対して円滑に回転するように組み付けることができるので、吊持金具を構成する部品点数を極力少なくして、その製作コストを大幅に低減できる。また、シャックルピンに連結具を挿通させて、シャックル本体に連結具を回転自在に連結しているので、部品点数を増やすことなく、シャックルピンに対する連結具の回転も円滑なものとなる。しかも、シャックル本体及びシャックルピンは、汎用のシャックルをそのまま活用して構成できるので、吊持金具の製作コストを大幅に低減できるとともに、これらの部材が破損した場合には、それを個別に交換できるので、利用者の経済的な負担を軽減できる。
【図面の簡単な説明】
【００１６】
【図１】吊持金具を用いた吊持対象物の吊り上げ方法の説明図
【図２】吊持金具の分解斜視図
【図３】吊持金具の分解斜視図
【図４】吊持金具の要部を切り欠いた正面図
【図５】図１のV-V線断面図
【図６】他の構成の吊持金具の図５相当図
【図７】他の構成の吊持金具の図５相当図
【考案を実施するための形態】
【００１７】
以下、本考案を実施するための形態について、図面を参照しながら説明する。
図１〜図５に示すように、吊持金具１０は、Ｕ字状のシャックル本体１１と、シャックル本体１１の両端部にわたって着脱自在に取付けたシャックルピン１２と、シャックル本体１１の両端部間においてシャックルピン１２に回転自在に支持した連結具１３であって、下半部にシャックルピン１２と直交状の枢支孔１３ｄを形成した連結具１３と、枢支孔１３ｄに回転自在に且つ枢支孔１３ｄから突出状に装着したスリーブ１４と、スリーブ１４を挿通して吊持対象物１に締結されるボルト部材１５であって、吊持対象物１とボルト頭部１５ａ間においてスリーブ１４を挟持して、スリーブ１４を介して連結具１３を回転自在に吊持対象物１に連結するボルト部材１５とを備えている。この吊持金具１０を用いて吊持対象物１をクレーン等で吊り上げる場合には、例えば、図１に示すように、吊持対象物１の平行な側壁の上部の両端部に吊持金具１０をそれぞれ固定し、これら４つの吊持金具１０のシャックル本体１１に４本の吊持用ワイヤ２の下端部に設けたアイ２ａをそれぞれ引っ掛けて、該４本の吊持用ワイヤ２の上端部をクレーンの図示外のフックに引っ掛けた状態で、吊持対象物１を吊り上げることになる。
【００１８】
シャックル本体１１及びシャックルピン１２は、ＪＩＳ規格のシャックルＳＣ型で構成されている。シャックル本体１１及びシャックルピン１２を構成する金属材料としては、クロムモリブデン鋼、例えばＪＩＳ規格ＳＣＭ４３５などの強度、剛性に優れた金属材料を好適に採用できる。シャックル本体１１は、Ｕ字状の本体部１１ａと、本体部１１ａの両端部に一体的に形成したリング状の連結頭部１１ｂとから構成されている。両連結頭部１１ｂは、本体部１１ａの両端部を結ぶ直線と平行な直線を中心としたリング状に形成され、一方の連結頭部１１ｂの中央部にはネジ孔１１ｃが形成され、他方の連結頭部１１ｂの中央部には貫通孔１１ｄがネジ孔１１ｃと同軸上に形成されている。シャックルピン１２の先端部にはネジ孔１１ｃに螺合可能なネジ部１２ａが形成され、シャックルピン１２の基端部にはシャックルピン１２を回転操作するための摘み部１２ｂが形成され、摘み部１２ｂには脱落防止用の紐やチェーンを取り付けるための取付孔１２ｃが形成されている。シャックルピン１２は、シャックル本体１１の貫通孔１１ｄにネジ部１２ａを挿通させて、摘み部１２ｂを摘んで該ネジ部１２ａをシャックル本体１１のネジ孔１１ｃに螺合させることによって、シャックル本体１１の両端部に着脱自在に架設状に組み付けられている。
【００１９】
なお、シャックル本体１１及びシャックルピン１２としては、ＪＩＳ規格シャックルＳＣ型以外のＳＤ型やＢＣ型やＢＤ型などを採用することもできる。また、ＪＩＳ規格シャックルＳＡ型やＢＡ型のように、シャックル本体１１のネジ孔１１ｃに代えて貫通孔を形成するとともに、シャックルピン１２の端部にネジ部１２ａに代えてピン孔を形成し、シャックルピン１２を両貫通孔に挿通させて、先端部のピン孔に割りピンを装着することで、シャックル本体１１にシャックルピン１２を着脱自在に取付けるように構成したり、ＪＩＳ規格シャックルＳＢ型やＢＢ型のように、シャックル本体１１のネジ孔１１ｃに代えて貫通孔を形成し、シャックルピン１２を両貫通孔に挿通させて、シャックルピン１２の先端部のネジ部１２ａにナットを螺合させることで、シャックル本体１１にシャックルピン１２を着脱自在に取付けるように構成したりしたものを採用することもできる。更に、シャックルピン１２の両端部をかしめて、シャックル本体１１に対してシャックルピン１２を着脱不能に設けることも可能である。更にまた、ＪＩＳ規格で規定された汎用のシャックル以外の構成のシャックルを採用することもできる。
【００２０】
連結具１３は、シャックル本体１１の連結頭部１１ｂ間に配置される円筒状の連結部１３ａと、連結部１３ａの下側に一体的に設けた、連結部１３ａと直交する円筒状の枢支部１３ｂとを有し、シャックル本体１１と同様の金属材料で構成されている。連結部１３ａにはシャックルピン１２が回転自在に挿通する連結孔１３ｃが形成され、枢支部１３ｂにはスリーブ１４を収容する枢支孔１３ｄとボルト頭部１５ａを収容する頭部収容部１３ｅとが連なって連結孔１３ｃと直交状に形成され、枢支孔１３ｄと頭部収容部１３ｅとの境界部には段部１３ｆが形成されている。スリーブ１４の長さは枢支孔１３ｄの長さよりもやや長く設定され、枢支孔１３ｄにスリーブ１４を装填して、スリーブ１４にボルト部材１５を挿通させ、ボルト部材１５を吊持対象物１に締結した状態で、ボルト頭部１５ａと吊持対象物１間にスリーブ１４が挟持されることによって、連結具１３がスリーブ１４に回転自在に枢支されるように構成されている。
【００２１】
ボルト部材１５は、周知の六角孔付きボルトで構成されている。ただし、周知の六角ボルトを採用することもできるし、吊持対象物１に締結される先端部のみにねじ部を形成した半ネジボルトを採用することも可能である。
【００２２】
次に、吊持金具１０を用いた吊持対象物１の吊り上げ方法について説明する。
先ず、シャックル本体１１に吊持用ワイヤ２のアイ２ａを引っ掛けた状態で、図２に示すように、連結具１３をシャックル本体１１の連結頭部１１ｂ間に配置させて、連結具１３の連結孔１３ｃを挿通するように、シャックル本体１１の貫通孔１１ｄにシャックルピン１２を挿通させ、シャックルピン１２のネジ部１２ａをシャックル本体１１のネジ孔１１ｃに螺合させて、シャックル本体１１の連結頭部１１ｂ間においてシャックルピン１２に連結具１３を回転自在に支持させ、シャックル本体１１に連結具１３及び吊持用ワイヤ２を取付けることになる。
【００２３】
次に、連結具１３の枢支孔１３ｄにスリーブ１４を装填して、スリーブ１４にボルト部材１５が挿通するように、ボルト部材１５を連結具１３に取り付け、連結具１３外へ突出するボルト部材１５を吊持対象物１に締結して、連結具１３を吊持対象物１に取付けることになる。このとき、スリーブ１４がボルト頭部１５ａと吊持対象物１間に挟持されるので、ボルト部材１５を強く締め付けても、連結具１３がボルト頭部１５ａと吊持対象物１間に挟持されることはなく、連結具１３はスリーブ１４に回転自在に支持されることになる。
【００２４】
こうして、吊持対象物１の平行な側面の上部両端部に吊持金具１０を順次固定し、吊持用ワイヤ２の図示外の他端のアイ２ａをクレーンのフックに引っ掛けて、吊持対象物１をクレーン等で吊り上げることになるが、このときスリーブ１４を中心に連結具１３が回転するとともに、シャックルピン１２を中心にシャックル本体１１が回転して、吊持用ワイヤ２に作用する引っ張り荷重が直線状にボルト部材１５に作用し、吊持用ワイヤ２や吊持金具１０に曲げ荷重が作用することによる強度低下が防止されることになる。ただし、連結具１３を吊持対象物１に取付けた後、シャックル本体１１に吊持用ワイヤ２のアイ２ａを引っ掛けて、このシャックル本体１１を連結具１３にシャックルピン１２で連結することも可能である。また、吊持用ワイヤ２の端部にフックを設ける場合には、吊持金具１０を吊持対象物１に組み付けた後、該吊持金具１０のシャックル本体１１に吊持用ワイヤ２のフックを引っ掛けて、吊持対象物１をクレーン等で吊り上げることができる。
【００２５】
このように、この吊持金具１０では、ベアリングを用いないでも、連結具１３をボルト部材１５に対して円滑に回転するように組み付けることができるので、吊持金具１０を構成する部品点数を極力少なくして、その製作コストを大幅に低減できる。また、シャックルピン１２に連結具１３を挿通させて、シャックル本体１１に連結具１３を回転自在に連結しているので、部品点数を増やすことなく、シャックルピン１２に対する連結具１３の回転も円滑なものとなる。しかも、シャックル本体１１及びシャックルピン１２は、汎用のシャックルをそのまま活用して構成できるので、吊持金具１０の製作コストを大幅に低減できるとともに、これらの部材が破損した場合には、それを個別に交換できるので、利用者の経済的な負担を軽減できる。
【００２６】
次に、前記吊持金具１０の構成を部分的に変更した他の実施の形態について説明する。なお、前記実施の形態と同一部材には同一符号を付してその詳細な説明を省略する。
（１）図６に示す吊持金具１０Ａのように、スリーブ１４に代えて、吊持対象物１側の端部にフランジ部２０を形成したスリーブ１４Ａを設けることもできる。このように構成すると、スリーブ１４Ａと吊持対象物１との接触面積を大きく設定して、スリーブ１４Ａが圧接されることによる吊持対象物１の破損を防止できる。
【００２７】
（２）図７に示す吊持金具１０Ｂのように、スリーブ１４に代えて、ボルト頭部１５ａ側の端部に鍔状の脱落係止部２１を形成したスリーブ１４Ｂを設け、頭部収容部１３ｅの開口側の端部にボルト頭部１５ａに当接してボルト部材１５の脱落を係止するＣリングなどからなる係止リング２２を着脱可能に固定することもできる。この場合には、ボルト部材１５及びスリーブ１４Ｂの連結具１３からの脱落を防止できるので、高所での作業の安全性を向上できる。
【００２８】
以上、本考案の実施形態について説明したが、本考案は前述した実施形態に何ら限定されるものではなく、本考案の要旨を逸脱しない範囲においてその構成を変更し得ることは勿論である。
【符号の説明】
【００２９】
１      吊持対象物        ２      吊持用ワイヤ
２ａ    アイ
１０    吊持金具          １１    シャックル本体
１１ａ  本体部            １１ｂ  連結頭部
１１ｃ  ネジ孔            １１ｄ  貫通孔
１２    シャックルピン    １２ａ  ネジ部
１２ｂ  摘み部            １２ｃ  取付孔
１３    連結具            １３ａ  連結部
１３ｂ  枢支部            １３ｃ  連結孔
１３ｄ  枢支孔            １３ｅ  頭部収容部
１３ｆ  段部              １４    スリーブ
１５    ボルト部材        １５ａ  ボルト頭部
１０Ａ  吊持金具          １４Ａ  スリーブ
２０    フランジ部
１０Ｂ  吊持金具          １４Ｂ  スリーブ
２１    脱落係止部        ２２    係止リング
【図１】
0003166798.tif 000003
【図２】
0003166798.tif 000004
【図３】
0003166798.tif 000005
【図４】
0003166798.tif 000006
【図５】
0003166798.tif 000007
【図６】
0003166798.tif 000008
【図７】
0003166798.tif 000009